(57)【特許請求の範囲】
【請求項１】
その主面に半導体チップ搭載領域を有する絶縁基板と、
搭載される半導体チップの電極パッドから延びる導体ワイヤが接続される略長方形状のランド部と、外部接続端子としての電極に接続されるパッド部と、上記ランド部と上記パッド部とを接続するリード部とを有し、上記絶縁基板の主面に形成されている複数の導体パターンと、
を含み、
上記ランド部が、その中央部に形成された他の領域よりも幅が狭い括れ部と、上記括れ部よりも上記半導体チップ搭載領域から離れた位置に形成され、上記導体ワイヤの接続の際にキャピラリが接地して上記導体ワイヤが機械的に接続されるキャピラリ接地部とを有し、
上記ランド部の長手方向が、搭載される半導体チップの対応する電極パッドに対して略直線状になるように上記半導体チップ搭載領域の外周に沿って配置されており、
隣接するランド部において、上記キャピラリ接地部と上記括れ部とが対向するように配置されており、
上記各ランド部の長手方向が、上記半導体チップ搭載領域の中心部に対して略放射線状になるように配置されている、
半導体チップ搭載用基板。
【請求項２】
上記括れ部を挟んで上記キャピラリ接地部に対応する位置に形成されたワイヤ接触部と、上記キャピラリ接地部とが略円形状である、請求項１に記載の半導体チップ搭載用基板。
【請求項３】
上記括れ部の幅が、上記キャピラリ接地部の幅の２５％〜７５％である、請求項１又は２に記載の半導体チップ搭載用基板。
【請求項４】
請求項１、２又は３に記載の半導体チップ搭載用基板と、
その主面に複数の電極パッドを有し、上記半導体チップ搭載用基板の半導体チップ搭載領域に搭載された半導体チップと、
上記各電極パッドと上記半導体チップ搭載用基板の各ランド部とをそれぞれ接続する複数の導体ワイヤと、
上記導体ワイヤ及び上記半導体チップを封止する封止材と、
を含む半導体装置。
【請求項５】
基板と半導体チップと複数の導体ワイヤと封止材とを含む半導体装置であって、
上記基板が、上記基板の主面上のチップ搭載領域の周りに配置された複数の導体パターンを含み、
上記複数の導体パターンの各々が、略長方形状のランドを有し、
上記ランドが、上記ランドの中央領域に形成された括れ部分を有し、上記括れ部分の幅が上記ランドの残りの部分の幅よりも小さく、
上記ランドの上記残りの部分が、キャピラリ・ツール接触部分と上記括れ部分の反対の位置に配置されたワイヤ接触部分とを含み、
上記複数の導体パターンの隣接するランドが、一つのランドの上記キャピラリ・ツール接触部分が隣接するランドの上記括れ部分に隣接するように、実質的に並行に配置されており、
上記半導体チップが、その主面上に複数の電極パッドを有し、そして、上記基板の上記半導体チップ搭載領域に搭載されており、
上記複数の導体ワイヤが、上記電極パッドと上記基板上の上記ランドとを接続し、
上記封止材が、上記導体ワイヤと上記半導体チップとを封止し、
上記ランドの長軸方向が、上記半導体チップ搭載領域の中央部分に関して、略放射状に配置されている、
半導体装置。
【請求項６】
請求項５に記載の半導体装置であって、
上記ワイヤ接触部分と上記キャピラリ・ツール接触部分とが略長円状である、半導体装置。
【請求項７】
請求項５又は６に記載の半導体装置であって、
上記括れ部分の幅が、上記キャピラリ・ツール部分の幅の２５％―７５％の範囲である、半導体装置。
【発明の詳細な説明】
【０００１】
【発明の属する技術分野】
本発明は、半導体パッケージ等の半導体装置で用いられる半導体チップ搭載用基板及びその半導体チップ搭載用基板を備えた半導体装置に関する。
【０００２】
【従来の技術】
近年、電子情報機器の小型化及び高性能化に伴い、これに搭載される半導体パッケージ等の半導体装置をより高密度化するための技術開発が盛んである。半導体パッケージを高密度化するための構造として、ＢＧＡ（Ball Grid Array）構造が知られている。図１０は、ＢＧＡ構造を採用した半導体パッケージの基本構成の一例を示す。この半導体パッケージは、主面（図中上面）に集積回路が形成された半導体チップ９００を、ダイペースト９０４を介して絶縁基板（サブストレート）９０２に固定し、封止材９１８により封止したものである。半導体チップ９００の表面には、その集積回路から引き出された電極パッド９２０が形成されている。絶縁基板９０２の主面には、半導体チップ９００の電極パッド９２０と外部接続端子である半田バンプ９０８とを接続するための導体パターンが形成されている。この導体パターンは、導体ワイヤ９１０を介して半導体チップ９００の電極パッド９２０に接続されるランド９３０と、絶縁基板９０２に形成したスルーホールを介して半田バンプ９０８に接続される接続パッド９３２とを含んでいる。
【０００３】
図１１は、絶縁基板９０２上の導体パターンを示す平面図である。導体パターンの各ランド９３０は、絶縁基板９０２上において、実装される半導体チップ１００の外周に沿って配列されている。各接続パッド９３２は、絶縁基板９０２の内側の領域に、二次元的に配列されている。ランド９３０と接続パッド９３２とは、それぞれリード９３４によって接続されている。各ランド９３０の平面形状は、図１２に平面形状を拡大して示すように一定の幅Ｗ（約０．１ｍｍ）を有する長尺形状であり、その表面に導体ワイヤ９１０がボンディングされる。
【０００４】
【発明が解決しようとする課題】
ここで、近年、半導体パッケージの高密度化の要請から、パッケージサイズを変えずに多ピン化することが求められており、そのため、ランド９３０の配列ピッチを狭くし、配列密度を向上させることが必要になっている。しかしながら、ランド９３０の配列ピッチを狭くするには、以下のような問題がある。
【０００５】
すなわち、各ランド９３０には、ボンディングの際に導体ワイヤ９１０が接地する可能性のあるエリア（ワイヤ接地可能エリアＲとする。）が存在するため、導体ワイヤ９１０の相互の接触を防止するためには、このワイヤ接地可能エリアＲが互いに重なり合わないようにしなければならない。このワイヤ接地可能エリアＲは、半径０．２５ｍｍで扇角３０°の扇形であることが知られており、このようなエリアを確保するには、ランド９３０の配列ピッチを約０．１３ｍｍ以上にすることが必要になる。
【０００６】
一方、ワイヤ接地可能エリアＲを確保するため、図１３に示すように、各ランド９３０を絶縁基板９０２（図１１）の外側及び内側に交互にずらして千鳥状に配置することも検討されている。しかしながら、この場合には、各ランド９３０の隙間Ｃが狭くなりすぎ、現在のエッチング処理能力（３０μｍ以上の隙間が必要とされる）では製造が困難であるという問題がある。
【０００７】
従って本発明は、ランドの配列密度を向上させることができる半導体チップ搭載用基板及びその半導体チップ搭載用基板を用いた半導体装置を提供することを目的とする。
【０００８】
【課題を解決するための手段】
上記目的を達成するため、本発明の半導体チップ搭載用基板は、その主面に半導体チップ搭載領域を有する絶縁基板と、搭載される半導体チップの電極パッドから延びる導体ワイヤが接続される略長方形状のランド部と、外部接続端子としての電極に接続されるパッド部と、上記ランド部と上記パッド部とを接続するリード部とを有し、上記絶縁基板の主面に形成されている複数の導体パターンとを有し、上記ランド部が、その中央部に形成された他の領域よりも幅が狭い括れ部と、上記括れ部よりも上記半導体チップ搭載領域から離れた位置に形成され、上記導体ワイヤの接続の際にキャピラリが接地して上記導体ワイヤが機械的に接続されるキャピラリ接地部とを有すると共に、その長手方向が搭載される半導体チップの対応する電極パッドに対して略直線状になるように上記半導体チップ搭載領域の外周に沿って配置されており、隣接するランド部において、上記キャピラリ接地部と上記括れ部とが対向するように配置されている。
【０００９】
このように、隣り合うランドの括れ部とキャピラリ接地部とを対向させることにより、隣り合うランド間に必要な隙間（エッチング処理可能な程度の隙間）を確保し、且つ、導体ワイヤの相互接触を防止するための領域を確保しつつ、ランドの配列ピッチを狭くすることができる。これにより、ランドの配列ピッチを狭くし、配列密度を向上させることが可能になる。
【００１０】
また、本発明においては、上記各ランド部の長手方向が上記複数のランド部の配列方向に対して直交しており、上記各ランド部が上記配列方向の直交方向に交互にずらして配置されていることが好ましい。
【００１１】
また、本発明では、上記ランド部の長手方向が上記半導体チップ搭載領域の中心部に対して略放射線状になるように配置されていることが好ましい。
【００１２】
また、本発明では、上記括れ部を挟んで上記キャピラリ接地部に対応する位置に形成されたワイヤ接触部と上記キャピラリ接地部とが略円形状であることが好ましい。
【００１３】
また、本発明では、上記括れ部の幅が上記キャピラリ接地部の幅の２５％から７５％であることが好ましい。
【００１４】
また、本発明の半導体装置は、上述した半導体チップ搭載用基板と、その主面に複数の電極パッドを有し、上記半導体チップ搭載用基板の半導体チップ搭載領域に搭載された半導体チップと、上記各電極パッドと上記半導体チップ搭載用基板の各ランド部とをそれぞれ接続する複数の導体ワイヤと、上記導体ワイヤ及び上記半導体チップを封止する封止材とを有する。
【００１５】
【発明の実施の形態】
以下、本発明の一実施形態を図面に沿って説明する。図１及び図２は、本発明を適用した半導体パッケージの一部切り欠き斜視図及び側断面図である。本実施の形態の半導体パッケージは、半導体チップ１００を、ダイペースト１０４を介して絶縁基板１０２に固定し、封止材１１８により封止したものである。半導体チップ１００は、シリコン基板の一方の面に図示しない集積回路を形成したものであり、他方の面において絶縁基板１０２に固定されている。半導体チップ１００の集積回路側の面の外周には、その集積回路から引き出された多数の電極パッド１２０が配列されている。
【００１６】
絶縁基板１０２は、ポリイミド又はセラミックス製の基板である。絶縁基板１０２の表面（半導体チップ１００側の面）には、半導体チップ１００の電極パッド１２０と外部接続端子である半田バンプ１０８とを電気的に接続するための導体パターンが形成されている。この導体パターンは、絶縁基板１０２上に銅などで形成されたものであり、半導体チップ１００の電極パッド１２０に導体ワイヤ１１０を介して接続されるランド１３０と、絶縁基板１０２のスルーホールを介して半田バンプ１０８に接続される接続パッド１３２とを含んでいる。ランド１３０は、絶縁基板１０２に実装される半導体チップ１００の外周に沿って配列されており、接続パッド１３２は、絶縁基板１０２の内側に二次元的に配列されている。
【００１７】
図３は、絶縁基板１０２上の導体パターンを拡大して示す平面図である。絶縁基板１０２上の導体パターンは、更に、ランド１３０よりも幅の細いパターン部分であるリード１３４，１３６を有している。リード１３４は、各ランド１３０と各接続パッド１３２とをほぼ一対一で結び、これらを電気的に接続するものである。又、リード１３６は、製造工程の一部において例えばテスト用端子として用いられるものである。
【００１８】
図４は、各ランド１３０の平面形状を拡大して示す平面図である。ランド１３０は、その配列方向（Ｘ方向）に直交する方向に縦長となるように配置されている。このランド１３０の長手方向は、半導体チップ１００の各電極パッド１２０から伸びる導体ワイヤ１１０の延出方向（図１参照）とほぼ一致している。ランド１３０の外側（絶縁基板１０２の外周に近い側）の領域は、導体ワイヤ１１０のボンディング工程においてキャピラリ（後述）を接地させるためのキャピラリ接地部２０２となっている。このキャピラリ接地部２０２は、ボンディング工程において、導体ワイヤ１１０の一端が最終的に固定される部分である。又、ランド１３０の内側（半導体チップ１００に近い側）の領域は、導体ワイヤ１１０のボンディング工程において導体ワイヤ１１０が接触し得るワイヤ接触部２０４となっている。このワイヤ接触部２０４は、ボンディング工程において、導体ワイヤ１１０が一時的に載せられる部分である。キャピラリ接地部２０２及びワイヤ接触部２０４は、いずれも略円形の平面形状を有している。更に、ワイヤ接触部２０４のキャピラリ接地部２０２側の領域は、キャピラリ接地部２０２よりも幅が狭い括れ部２００となっている。この括れ部２００は、キャピラリ接地部２０２及びワイヤ接触部２０４を結ぶ凹曲面を有している。ランド１３０を構成するこれら括れ部２００、キャピラリ接地部２０２及びワイヤ接触部２０４は、いわゆる瓢箪形状をなしている。好適な実施例では、キャピラリ接地部２０２の幅Ｗは０．１ｍｍであり、キャピラリ接地部２０２及びワイヤ接触部２０４の中心間距離は０．１５ｍｍである。又、特に、括れ部２００の幅は、キャピラリ接地部２０２の幅に対して、２５％〜７５％の範囲にあることが好ましい。
【００１９】
絶縁基板１０２上において、ボンディング工程中に導体ワイヤ１１０が接地する可能性のあるエリア（ワイヤ接地可能エリアとする。）は、図中符号Ｒで示すように、例えば、半径０．２５ｍｍで扇角３０°の扇形のエリアである。ランド１３０は、その配列方向（図中矢印Ｘで示す）に直交する方向に交互にずらされて配列されており、ワイヤ接地可能エリアＲが相互に重なり合わないように、かつ、隣り合うランド１３０の間で括れ部２００とキャピラリ接地部２０２とが対向するように配列されている。このように配列したのは、導体ワイヤ１１０の相互接触を防止し、且つ、ランド１３０間の隙間Ｃをエッチング可能な隙間３０μｍ以上に保ちつつ、配列ピッチを狭くするためである。
【００２０】
更に、括れ部２００の外周（凹曲面）の曲率半径Ｒ３は、キャピラリ接地部２０２（凸曲面）の半径Ｒ１と略同じに設定されている。このようにすれば、キャピラリ接地部２０２と括れ部２００との間の隙間を一定間隔にすることができるからである。又、ワイヤ接触部２０４の半径Ｒ２は、キャピラリ接地部２０２の半径Ｒ１よりも僅かに小さく設定されている。好適な実施例では、キャピラリ接地部２０２の幅Ｗを０．１ｍｍ（すなわち半径Ｒ１を０．０５ｍｍ）とした場合、ランド１３０の配列ピッチＰは０．１２２ｍｍにすることができる。
【００２１】
図５は、本実施の形態に係るランド１３０の配列例を示す図であり、絶縁基板１０２の表面の約４分の１の領域に対応している。本実施の形態における幅０．１ｍｍのランド１３０を、一辺が１３ｍｍの正方形の半導体チップ１００（図５では省略）の外周に沿って配列した場合、配列可能なランドの数は、３８０個（一辺当たり９５個）となる。比較のため、図５には、ランド１３０のような括れ部２００を有さないランドＳ（幅０．１ｍｍ）を、上記寸法の半導体チップ１００の周囲に配列した例を併せて示す。この場合、半導体チップ１００の外周に沿って配列可能なランドの数は、３４０個（一辺当たり８５個）となる。すなわち、本実施の形態を、上記寸法の半導体チップ１００を含む半導体パッケージに適用すると、ランドの配列数を４０個増加させることができ、半導体パッケージの多ピン化が可能になることが分かる。
【００２２】
次に、図６を参照して、本実施の形態に係る半導体パッケージの製造方法について説明する。まず、図６（Ａ）に示すように、ポリイミド又はセラミックス製の絶縁基板１０２に、スルーホール３００を形成する。このスルーホール３００の形成は、打ち抜き部材による打ち抜き加工、又はフォトリソグラフィー技術によって行うことができる。次いで、スルーホール３００を形成した絶縁基板１０２の全面に銅箔をラミネートしたのち、フォトリソグラフィー技術を用いてエッチングし、図６（Ｂ）に示すようなランド１３０及び接続パッド１３２を形成する。続いて、図６（Ｃ）に示すように、絶縁基板１０２の表面に、ランド１３０となる部分を露出させて、半田マスク３０２を塗布する。露出したランド１３０にニッケル又は金メッキを施す。そののち、ディスペンサ（図示せず）を用いて、絶縁基板１０２上にエポキシ系樹脂からなるダイペースト１０４を滴下する。液状のダイペースト１０４が硬化する前に、図６（Ｄ）に示すように、別の工程で製造した半導体チップ１００を上方から一定の圧力で押し付け、ダイペースト１０４を半導体チップ１００の下面全域に行き渡らせる。この状態で、ヒータ等により雰囲気温度を上げて、ダイペースト１０４を硬化させ、絶縁基板１０２上に半導体チップ１００を固定する。
【００２３】
次に、図６（Ｅ）に示すように、半導体チップ１００の電極パッド１２０とランド１３０とを、導体ワイヤ１１０でボンディングする。図７は、このボンディング工程を説明するための概略図である。ボンディング工程では、金やアルミニウムの極細ワイヤを軟化状態で供給するキャピラリ４００を用いる。まず、キャピラリ４００から吐出した極細ワイヤ４０２の一端を半導体チップ１００の電極パッド１２０上にボンディングしたのち、図７（Ａ）に示すように、極細ワイヤ４０２をループを描くように引き伸ばし、絶縁基板１０２上のランド１３０にボンディングする。ランド１３０へのボンディングに際し、キャピラリ４００は、ランド１３０のキャピラリ接地部２０２の中央位置２０８の上方に位置させる。このとき、極細ワイヤ４０２は、ランド１３０のワイヤ接触部２０４上に載置された状態にある。次いで、図７（Ｂ）に示すように、キャピラリ４００を下方に（キャピラリ接地部２０２に対して）押し下げると、極細ワイヤ４０２の先端側の部分がキャピラリ接地部２０２上に接地し、ここで固定される。これに伴い、極細ワイヤ４０２のワイヤ接触部２０４に接触していた部分は、ワイヤ接触部２０４から僅かに浮き上がる。この状態からキャピラリ４００を上昇させ、キャピラリ４００をこのランド１３０上から退避させる。極細ワイヤ４０２は、ランド１３０のキャピラリ接地部２０２に先端が固定されたまま残る。これにより、半導体チップ１００の電極パッド１２０とランド１３０とのボンディングが完了し、ボンディングされた極細ワイヤ４０２が導体ワイヤ１１０となる。
【００２４】
電極パッド１２０とランド１３０とのボンディングが完了した後、図６（Ｆ）に示すように、モールド樹脂よりなる封止材１１８で半導体チップ１００を封止する。最後に、絶縁基板１０２のスルーホール３００内に半田ペーストを充填して半田バンプ１０８を形成する。以上の工程を経て、半導体パッケージが完成する。
【００２５】
以上説明したように、本実施の形態によれば、隣り合うランド１３０の間で、括れ部２００とキャピラリ接地部２０２とを対向させる構成としたので、導体ワイヤ１１０の相互接触を防止すると共に、ランド１３０間の隙間Ｃをエッチング可能な隙間３０μｍ以上に保ちつつ、配列ピッチを狭くすることができる。これにより、パッケージサイズをそのままにしてランド１３０の数を増やし、多ピン化することが可能になり、半導体パッケージの高密度化が可能になる。
【００２６】
特に、本実施の形態では、各ランド１３０を、その配列方向に直交する方向に交互にずらして配置するようにしたので、隣り合うランド１３０の間で、括れ部２００とキャピラリ接地部２０２とを確実に対向させることができ、配列密度を更に向上させることができる。
【００２７】
更に、本実施の形態では、各ランド１３０の形状をほぼ瓢箪形状としたので、ランド１３０上に導体ワイヤ１１０が接地又は接触する領域を確保しつつ、ランド１３０の配列密度を向上させることができる。加えて、括れ部２００の幅をキャピラリ接地部２０２の幅の２５％〜７５％の範囲としたので、キャピラリ接地部２０２及びワイヤ接触部２０４の面積を十分確保しつつ、ランド１３０の配列密度を確実に向上させることができる。
【００２８】
次に、上述した実施の形態の変形例について説明する。図８は、上述した実施の形態の変形例に係るランド１３０の配列を示す平面図であり、絶縁基板１０２の表面の約４分の１の領域を示すものである。本変形例では、ランド１３０は、半導体チップ１００（図８では省略）の外周に沿って規定される各辺に配列されており、各辺の中央部に位置するランド１３０は、その長手方向がランド１３０の配列方向に対して直交し、各辺の端部に近いランド１３０ほど、その長手方向が当該直交方向から傾斜するようになっている。このようにすれば、ランド１３０の傾きにより、隣り合うランド１３０の間で括れ部２００とキャピラリ接地部２０２とが対向する領域が生じるため、ランド１３０の配列ピッチを狭くすることができるからである。
【００２９】
具体的には、本変形例における幅０．１ｍｍのランド１３０を、一辺が１３ｍｍの正方形の半導体チップ１００の周囲に配列した場合、配列可能なランド１３０の数は、３１６個（一辺当たり７９個）となる。比較のため、図８には、ランド１３０のような括れ部２００を有さないランドＳ（幅０．１ｍｍ）を、上記寸法の半導体チップ１００の周囲に配列した例を示す。この場合、配列可能なランドの数は、３０８個（一辺当たり７７個）となる。すなわち、本変形例を、上記寸法の半導体チップ１００を含む半導体パッケージに適用すると、ランドの配列数を８個増加させることができることが分かる。
【００３０】
このように、本変形例においても、隣り合うランド１３０の間で括れ部２００とキャピラリ接地部２０２とを対向させる領域を設けることができるため、ランド１３０の配列ピッチを狭くし、配列密度を向上させることができる。
【００３１】
次に、本発明の第２の実施の形態について説明する。図９（Ａ）は、第２の実施の形態に係るランド１３０の平面形状及びその配列パターンを示す平面図である。各ランド１３０の形状は、第１の実施の形態と同様であるが、各ランド１３０が、その配列方向に直交する方向（絶縁基板１０２の外側及び内側）に交互に完全に位置をずらし、内側に位置するランド１３０の括れ部２００が、外側に位置するランド１３０のリード１３４に対向するように配置されている。このような配列を千鳥配列と呼ぶ。更に、隣り合うランド１３０の間で、括れ部２００とワイヤ接地可能エリアＲとが対向するよう、各ランド１３０が配列されている。これにより、ランド１３０の配列ピッチを小さくすることができる。具体的には、キャピラリ接地部２０２の幅Ｗを０．１ｍｍとした場合、ランド１３０の配列ピッチＰを０．１０９ｍｍまで小さくすることができる。
【００３２】
比較のため、図９（Ｂ）には、ランド１３０のような括れ部を有さないランドＳ（幅０．１ｍｍ）を千鳥状に配列した例を示す。この場合、ランドＳを、隣接するランド１３０のワイヤ接地可能エリアＲと接触させないよう配列するには、配列ピッチＰを０．１１５ｍｍ以上にしなければならない。すなわち、本実施の形態によれば、千鳥配列したランドにおいて、配列ピッチを狭くする効果を奏することが分かる。
【００３３】
このように、本実施の形態によれば、ランド１３０を千鳥配列し、隣り合うランド１３０の間で、括れ部２００とワイヤ接地可能エリアＲとを対向させる構成としたことにより、ランド１３０の配列密度を更に向上させることができる。
【００３４】
以上、本発明の各実施の形態を図面に沿って説明した。しかしながら本発明は前記実施の形態に示した事項に限定されず、特許請求の範囲の記載に基いてその変更、改良等が可能であることは明らかである。例えば、第２の実施の形態においては、外側のランド１３０には絞り部２００を設けないようにしてもよい。
【００３５】
【発明の効果】
以上の如く本発明によれば、隣り合うランドの間で、括れ部とキャピラリ接地部とを対向させるよう構成としたので、導体ワイヤの相互接触を防止し、且つ、ランドの隙間をエッチング処理可能な程度の広さに保ちつつ、ランドの配列ピッチを狭くすることができる。これにより、ランドの配列ピッチを狭くし、配列密度を向上させることが可能になる。
【図面の簡単な説明】
【図１】本発明の第１の実施形態に係る半導体パッケージの一部切り欠き側面図である。
【図２】図１に示した半導体パッケージの側断面図である。
【図３】図１に示した半導体パッケージの導体パターンを示す平面図である。
【図４】図１に示した半導体パッケージのランドの平面形状を示す平面図である。
【図５】図４に示したランドの配列パターンを示す平面図である。
【図６】図１に示した半導体パッケージの製造工程を示す工程毎の断面図である。
【図７】図６に示した製造工程におけるボンディング工程を説明するための断面図である。
【図８】第１の実施形態の変形例に係る半導体パッケージにおけるランドの配列を示す平面図である。
【図９】本発明の第２の実施形態に係る半導体パッケージにおけるランドの配列を示す平面図である。
【図１０】従来の半導体パッケージの基本構成を示す概略図である。
【図１１】図１０に示した従来の半導体パッケージの絶縁基板上における導体パターンを示す平面図である。
【図１２】図１０に示した従来の半導体パッケージのランドの形状を拡大して示す平面図である。
【図１３】図１２に示した従来の半導体パッケージのランドの他の配列例を示す平面図である。
【符号の説明】
１００  半導体チップ
１０２  絶縁基板
１０４  ダイペースト
１０８  半田バンプ
１１０  導体ワイヤ
１１８  封止材
１２０  電極パッド
１３０  ランド
１３２  接続パッド
２００  括れ部
２０２，２０４  主部
３００  スルーホール
４００  キャピラリ
４０２  極細ワイヤ
【図１】
0004586316.tif 000002
【図２】
0004586316.tif 000003
【図３】
0004586316.tif 000004
【図４】
0004586316.tif 000005
【図５】
0004586316.tif 000006
【図６】
0004586316.tif 000007
【図７】
0004586316.tif 000008
【図８】
0004586316.tif 000009
【図９】
0004586316.tif 000010
【図１０】
0004586316.tif 000011
【図１１】
0004586316.tif 000012
【図１２】
0004586316.tif 000013
【図１３】
0004586316.tif 000014